(57)【要約】【課題】本発明は多機能の筆を開示した。【解決手段】本発明は多機能の筆を開示し、筆管を含み、前記筆管の中には駆動機構が設置されており、前記駆動機構は電池と重力棒と電磁石と磁石とを含み、前記電池は装置全体に電気エネルギーを提供し、前記重力棒は地心引力を受けてずっと垂直状態であり、前記電磁石が通電する時前記磁石との間に斥力が生じて前記磁石を推し、前記駆動機構の下側には調整機構が設置されており、前記駆動機構と前記調整機構が絶縁線によって連結され、この装置は結構が簡単で、操作が便利で、インクを保存して取り出す機能があり、書写する過程には更に簡単快適であり、それに書写する過程中姿が違ったら注意を与え、使用者の筆の使い方を修正できる機能がある。【選択図】図１
2020179654.tif 000002
【特許請求の範囲】
【請求項１】
正面視で、筆管を含み、前記筆管の中には駆動機構が設置されており、前記駆動機構は電池と重力棒と電磁石と磁石とを含み、前記電池は装置全体に電気エネルギーを提供し、前記重力棒は地心引力を受けてずっと垂直状態であり、前記電磁石が通電する時前記磁石との間に斥力が生じて前記磁石を推し、前記駆動機構の下側には調整機構が設置されており、前記駆動機構と前記調整機構が絶縁線によって連結され、前記調整機構は円形ブロックと、垂直溝と、二つの台形ブロックと二つの圧縮される圧力撥条とを含み、（前記重力棒が回転すると前記円形ブロックを回転連動させ、それにより前記垂直溝を連動させて前記台形ブロックのところに運動させ、それにより前記台形ブロックは前記垂直溝の中に入って止められ、）前記調整機構は双通溝を含み、前記調整機構の下側にはインク保存機構が設置されており、前記インク保存機構は長い棒とＬ型溝を含み、前記円形ブロックが回転する時、前記長い棒を前記垂直溝の中から推し出し、前記双通溝が上昇する時前記Ｌ型溝に連通でき、前記インク保存機構は横棒とインク排出溝と排出溝を含み、前記長い棒が前記垂直溝の中に位置する時、前記横棒が右へ運動して前記インク排出溝を前記排出溝に連通させることを特徴とする多機能の筆。
【請求項２】
前記駆動機構は短い電線を含み、前記筆管の中には作業チャンバが設置されており、前記作業チャンバの左右端壁の中には弾性チャンバが対称的に設置されており、前記弾性チャンバのうち前記作業チャンバに近接している端壁には電磁石が植設されており、前記作業チャンバの後端壁には電池が固定され、前記電池の上端には前記電磁石に連通する長い電線が左右に対称的に設置されており、前記作業チャンバの後端壁には前記短い電線によって前記電池と連通される定位軸が回転できるように設置されており、前記定位軸には重力棒が固定され、前記作業チャンバの後端壁にはトルク溝が設置されており、前記トルク溝の後端壁には前端が前記作業チャンバの中に位置するトルク軸が回転できるように設置され、
前記トルク軸と前記トルク溝との間にはねじりばねが設置されており、前記トルク軸には円形ブロックが固定され、前記円形ブロックの下端面には垂直溝が設置されており、前記右側弾性チャンバの中には磁石がスライドできるように設置されており、前記磁石の右端面には前記弾性チャンバの右端面と固定される弾性撥条が上下に対称的に設置されており、前記磁石の右端面の中心には伸び出しブロックが設置されており、また、前記筆管がスイングする時、前記重力棒が自身重力によって垂直状態を維持することを特徴とする請求項１に記載の多機能の筆。
【請求項３】
前記調整機構は台形ブロックを含み、前記作業チャンバの左端壁には方形チャンバが設置されており、前記作業チャンバは長い溝によって外部に連通し、前記長い溝の下端壁には昇降溝が設置されており、前記方形チャンバと前記長い溝の中には移動溝が前記トルク軸について左右に対称的に設置されており、前記移動溝の中には移動ブロックがスライドできるように設置されており、前記移動ブロックの上端面には前記移動溝の上端壁と固定的に連結される移動撥条が固定され、前記移動ブロックの前端面には推動ブロックが固定され、前記推動ブロックの左端面には圧力溝が設置されており、前記圧力溝の右端壁には圧力撥条が固定され、前記圧力撥条の左端には前記台形ブロックが固定され、二つの前記推動ブロックが細い棒のよって固定的に連結され、右側の前記推動ブロックの下端面には溝ブロックが固定され、前記溝ブロックの中には双通溝が設置されており、それに、前記円形ブロックが回転する時、前記台形ブロックが前記垂直溝の中に入って止められることを特徴とする請求項１に記載の多機能の筆。
【請求項４】
前記インク保存機構は長い棒を含み、前記作業チャンバの下端壁の中にはインク保存溝が設置されており、前記インク保存溝の上端壁と前記昇降溝がＬ型溝によって連通され、前記インク保存溝と前記作業チャンバは柱溝によって連通され、前記柱溝の左端壁には弾力溝が設置されており、前記弾力溝の下端壁には弾力撥条が固定され、前記弾力撥条の上端には前記弾力溝とスライドできるように連結される撥条ブロックが固定され、前記撥条ブロックの右端には前記長い棒が固定され、前記筆管の左端面には押え溝が設置されており、前記押え溝の中には押えブロックがスライドできるように設置されており、前記押えブロックの右端面には右端が前記押え溝の右端壁と固定される押え撥条が上下に対称的に固定され、
前記押えブロックの右端面の中心には横棒が固定され、前記長い棒の中には排出溝が設置されており、前記長い棒の左端面には狭い溝が設置されており、前記狭い溝の右端壁には双方向撥条が固定され、前記双方向撥条の左端には前記狭い溝とスライドできるように連結される双方向ブロックが固定され、前記双方向ブロックの中にはインク排出溝が設置されており、前記筆管の下端面には筆先が固定され、それに、前記長い棒が前記垂直溝の中に位置する時、前記横棒が右へ運動して前記インク排出溝を推し動かして前記排出溝と連通させることを特徴とする請求項１に記載の多機能の筆。
【発明の詳細な説明】
【技術分野】
【０００１】
本発明は書写筆の分野を取り上げて、具体的には多機能の筆である。
【背景技術】
【０００２】
筆は中国の伝統風味のある筆であり、使用する時インクと合わせて使用し、且つ書写人の姿に要求があり、使いにくい筆であり、それに現有の筆の功能が単一で、使用する時常にインクをつけ、且つ使用する時の姿も維持し難しく、自分が気づきにくい。
【先行技術文献】
【特許文献】
【０００３】
【特許文献１】中国特許出願公開第107538959号明細書
【発明の概要】
【発明が解決しようとする課題】
【０００４】
本発明の目的は多機能の筆を提供し、上記背景技術に提出される問題を解決する。
【課題を解決するための手段】
【０００５】
上記の目的を実現するため、本発明は以下の技術方案を提供し：多機能の筆は、筆管を含み、前記筆管の中には駆動機構が設置されており、前記駆動機構は電池と重力棒と電磁石と磁石とを含み、前記電池は装置全体に電気エネルギーを提供し、前記重力棒は地心引力を受けてずっと垂直状態であり、前記電磁石が通電する時前記磁石との間に斥力が生じて前記磁石を推し、前記駆動機構の下側には調整機構が設置されており、前記駆動機構と前記調整機構が絶縁線によって連結され、前記調整機構は円形ブロックと、垂直溝と、二つの台形ブロックと二つの圧縮される圧力撥条とを含み、（前記重力棒が回転すると前記円形ブロックを回転連動させ、それにより前記垂直溝を連動させて前記台形ブロックのところに運動させ、それにより前記台形ブロックは前記垂直溝の中に入って止められ、）前記調整機構は双通溝を含み、前記調整機構の下側にはインク保存機構が設置されており、前記インク保存機構は長い棒とＬ型溝を含み、前記円形ブロックが回転する時、前記長い棒を前記垂直溝の中から推し出し、前記双通溝が上昇する時前記Ｌ型溝に連通でき、前記インク保存機構は横棒とインク排出溝と排出溝を含み、前記長い棒が前記垂直溝の中に位置する時、前記横棒が右へ運動して前記インク排出溝を前記排出溝に連通させる。
【０００６】
更なる技術方案、前記駆動機構は短い電線を含み、前記筆管の中には作業チャンバが設置されており、前記作業チャンバの左右端壁の中には弾性チャンバが対称的に設置されており、前記弾性チャンバのうち前記作業チャンバに近接している端壁には電磁石が植設されており、前記作業チャンバの後端壁には電池が固定され、前記電池の上端には前記電磁石に連通する長い電線が左右に対称的に設置されており、前記作業チャンバの後端壁には前記短い電線によって前記電池と連通される定位軸が回転できるように設置されており、前記定位軸には重力棒が固定され、前記作業チャンバの後端壁にはトルク溝が設置されており、前記トルク溝の後端壁には前端が前記作業チャンバの中に位置するトルク軸が回転できるように設置され、
その中、前記トルク軸と前記トルク溝との間にはねじりばねが設置されており、前記トルク軸には円形ブロックが固定され、前記円形ブロックの下端面には垂直溝が設置されており、前記右側弾性チャンバの中には磁石がスライドできるように設置されており、前記磁石の右端面には前記弾性チャンバの右端面と固定される弾性撥条が上下に対称的に設置されており、前記磁石の右端面の中心には伸び出しブロックが設置されており、また、前記筆管がスイングする時、前記重力棒が自身重力によって垂直状態を維持する。
【０００７】
更なる技術方案、前記調整機構は台形ブロックを含み、前記作業チャンバの左端壁には方形チャンバが設置されており、前記作業チャンバは長い溝によって外部に連通し、前記長い溝の下端壁には昇降溝が設置されており、前記方形チャンバと前記長い溝の中には移動溝が前記トルク軸について左右に対称的に設置されており、前記移動溝の中には移動ブロックがスライドできるように設置されており、前記移動ブロックの上端面には前記移動溝の上端壁と固定的に連結される移動撥条が固定され、前記移動ブロックの前端面には推動ブロックが固定され、前記推動ブロックの左端面には圧力溝が設置されており、前記圧力溝の右端壁には圧力撥条が固定され、前記圧力撥条の左端には前記台形ブロックが固定され、二つの前記推動ブロックが細い棒のよって固定的に連結され、右側の前記推動ブロックの下端面には溝ブロックが固定され、前記溝ブロックの中には双通溝が設置されており、それに、前記円形ブロックが回転する時、前記台形ブロックが前記垂直溝の中に入って止められる。
【０００８】
更なる技術方案、前記インク保存機構は長い棒を含み、前記作業チャンバの下端壁の中にはインク保存溝が設置されており、前記インク保存溝の上端壁と前記昇降溝がＬ型溝によって連通され、前記インク保存溝と前記作業チャンバは柱溝によって連通され、前記柱溝の左端壁には弾力溝が設置されており、前記弾力溝の下端壁には弾力撥条が固定され、前記弾力撥条の上端には前記弾力溝とスライドできるように連結される撥条ブロックが固定され、前記撥条ブロックの右端には前記長い棒が固定され、前記筆管の左端面には押え溝が設置されており、前記押え溝の中には押えブロックがスライドできるように設置されており、前記押えブロックの右端面には右端が前記押え溝の右端壁と固定される押え撥条が上下に対称的に固定され、
その中、前記押えブロックの右端面の中心には横棒が固定され、前記長い棒の中には排出溝が設置されており、前記長い棒の左端面には狭い溝が設置されており、前記狭い溝の右端壁には双方向撥条が固定され、前記双方向撥条の左端には前記狭い溝とスライドできるように連結される双方向ブロックが固定され、前記双方向ブロックの中にはインク排出溝が設置されており、前記筆管の下端面には筆先が固定され、それに、前記長い棒が前記垂直溝の中に位置する時、前記横棒が右へ運動して前記インク排出溝を推し動かして前記排出溝と連通させる。
【発明の効果】
【０００９】
本発明の有益な効果は：この装置は結構が簡単で、操作が便利で、インクを保存して取り出す機能があり、書写する過程には更に簡単快適であり、それに書写する過程中姿が違ったら注意を与え、使用者の筆の使い方を修正できる機能がある。
【図面の簡単な説明】
【００１０】
下記に図1〜４をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１１】
【図１】図１は本発明の多機能の筆の全体断面の正面構成模式図
【図２】図２は本発明の多機能の筆の中の推動ブロックの拡大構成模式図
【図３】図３は本発明の多機能の筆の中の双方向ブロックの拡大構成模式図
【図４】図４は本発明の多機能の筆の中のトルク軸の右視断面構成模式図
【発明を実施するための形態】
【００１２】
本説明書に公開されるいずれもの特徴、或いは公開されるいずれもの方法或いは過程中の順序は互いに排斥する特徴／或いは順序以外、いかなる方式によって組み合わせる。
【００１３】
図１〜４を参考して、本発明が提供する実施例：多機能の筆は、筆管１０を含み、前記筆管１０の中には駆動機構６０が設置されており、前記駆動機構６０は電池２３と重力棒１９と電磁石４０と磁石４１とを含み、前記電池２３は装置全体に電気エネルギーを提供し、前記重力棒１９は地心引力を受けてずっと垂直状態であり、前記電磁石４０が通電する時前記磁石４１との間に斥力が生じて前記磁石４１を推し、前記駆動機構６０の下側には調整機構６１が設置されており、前記駆動機構６０と前記調整機構６１が絶縁線２５によって連結され、前記調整機構６１は円形ブロック１８と、垂直溝２７と、二つの台形ブロック５０と二つの圧縮される圧力撥条４９とを含み、（前記重力棒１９が回転すると前記円形ブロック１８を回転連動させ、それにより前記垂直溝２７を連動させて前記台形ブロック５０のところに運動させ、それにより前記台形ブロック５０は前記垂直溝２７の中に入って止められ、）前記調整機構６１は双通溝３０を含み、前記調整機構６１の下側にはインク保存機構６２が設置されており、前記インク保存機構６２は長い棒３２とＬ型溝３１を含み、前記円形ブロック１８が回転する時、前記長い棒３２を前記垂直溝２７の中から推し出し、前記双通溝３０が上昇する時前記Ｌ型溝３１に連通でき、前記インク保存機構６２は横棒５１とインク排出溝５６と排出溝５３を含み、前記長い棒３２が前記垂直溝２７の中に位置する時、前記横棒５１が右へ運動して前記インク排出溝５６を前記排出溝５３に連通させる。
【００１４】
有益なように、前記駆動機構６０は短い電線２２を含み、前記筆管１０の中には作業チャンバ２１が設置されており、前記作業チャンバ２１の左右端壁の中には弾性チャンバ４４が対称的に設置されており、前記弾性チャンバ４４のうち前記作業チャンバ２１に近接している端壁には電磁石４０が植設されており、前記作業チャンバ２１の後端壁には電池２３が固定され、前記電池２３の上端には前記電磁石４０に連通する長い電線２４が左右に対称的に設置されており、前記作業チャンバ２１の後端壁には前記短い電線２２によって前記電池２３と連通される定位軸２０が回転できるように設置されており、前記定位軸２０には重力棒１９が固定され、前記作業チャンバ２１の後端壁にはトルク溝５７が設置されており、前記トルク溝５７の後端壁には前端が前記作業チャンバ２１の中に位置するトルク軸１７が回転できるように設置され、
その中、前記トルク軸１７と前記トルク溝５７との間にはねじりばね５８が設置されており、前記トルク軸１７には円形ブロック１８が固定され、前記円形ブロック１８の下端面には垂直溝２７が設置されており、前記右側弾性チャンバ４４の中には磁石４１がスライドできるように設置されており、前記磁石４１の右端面には前記弾性チャンバ４４の右端面と固定される弾性撥条４２が上下に対称的に設置されており、前記磁石４１の右端面の中心には伸び出しブロック４３が設置されており、また、前記筆管１０がスイングする時、前記重力棒１９が自身重力によって垂直状態を維持する。
【００１５】
有益なように、前記調整機構６１は台形ブロック５０を含み、前記作業チャンバ２１の左端壁には方形チャンバ３７が設置されており、前記作業チャンバ２１は長い溝３８によって外部に連通し、前記長い溝３８の下端壁には昇降溝２８が設置されており、前記方形チャンバ３７と前記長い溝３８の中には移動溝４６が前記トルク軸１７について左右に対称的に設置されており、前記移動溝４６の中には移動ブロック４７がスライドできるように設置されており、前記移動ブロック４７の上端面には前記移動溝４６の上端壁と固定的に連結される移動撥条４５が固定され、前記移動ブロック４７の前端面には推動ブロック２６が固定され、前記推動ブロック２６の左端面には圧力溝４８が設置されており、前記圧力溝４８の右端壁には圧力撥条４９が固定され、前記圧力撥条４９の左端には前記台形ブロック５０が固定され、二つの前記推動ブロック２６が細い棒１６のよって固定的に連結され、右側の前記推動ブロック２６の下端面には溝ブロック２９が固定され、前記溝ブロック２９の中には双通溝３０が設置されており、それに、前記円形ブロック１８が回転する時、前記台形ブロック５０が前記垂直溝２７の中に入って止められる。
【００１６】
有益なように、前記インク保存機構６２は長い棒３２を含み、前記作業チャンバ２１の下端壁の中にはインク保存溝１１が設置されており、前記インク保存溝１１の上端壁と前記昇降溝２８がＬ型溝３１によって連通され、前記インク保存溝１１と前記作業チャンバ２１は柱溝１５によって連通され、前記柱溝１５の左端壁には弾力溝１３が設置されており、前記弾力溝１３の下端壁には弾力撥条１２が固定され、前記弾力撥条１２の上端には前記弾力溝１３とスライドできるように連結される撥条ブロック１４が固定され、前記撥条ブロック１４の右端には前記長い棒３２が固定され、前記筆管１０の左端面には押え溝３６が設置されており、前記押え溝３６の中には押えブロック３５がスライドできるように設置されており、前記押えブロック３５の右端面には右端が前記押え溝３６の右端壁と固定される押え撥条５２が上下に対称的に固定され、
その中、前記押えブロック３５の右端面の中心には横棒５１が固定され、前記長い棒３２の中には排出溝５３が設置されており、前記長い棒３２の左端面には狭い溝５４が設置されており、前記狭い溝５４の右端壁には双方向撥条５５が固定され、前記双方向撥条５５の左端には前記狭い溝５４とスライドできるように連結される双方向ブロック３３が固定され、前記双方向ブロック３３の中にはインク排出溝５６が設置されており、前記筆管１０の下端面には筆先３４が固定され、それに、前記長い棒３２が前記垂直溝２７の中に位置する時、前記横棒５１が右へ運動して前記インク排出溝５６を推し動かして前記排出溝５３と連通させる。
【００１７】
以下、付図１〜４及び上記の本願発明の多機能の筆の具体的な構造を参考してその使い方を詳しく説明する：
【００１８】
筆管１０を使う時、もし筆管１０が傾きすぎれば、重力棒１９が自身重力によって垂直のままで電磁石４０と接触し、短い電線２２と長い電線２４の伝導によって、電磁石４０が通電して磁力を生じて磁石４１を反発し、伸び出しブロック４３を推し出し、使用者に姿が正しくないことを気づかせ、インク保存溝１１の中にはインクが保存され、筆先３４のインクが足りない時、押えブロック３５を押えてインク排出溝５６を排出溝５３に連通させ、インクが筆先３４の中に流し込み、重力棒１９が定位軸２０を連動させて絶縁線２５を巻かせ、それにより円形ブロック１８を引っ張って回転させ、もし筆管１０が歪めば、円形ブロック１８が長い棒３２を連動させて下がらせ、これにより押えブロック３５がインク排出溝５６を推し動かせなく、インクを補充する時、筆管１０に垂直状態を維持させ、推動ブロック２６を推し動かして上昇させ、双通溝３０をＬ型溝３１に連通させ、双通溝３０の中にインクを注ぎ込む。
【００１９】
本発明の有益な効果は：この装置は結構が簡単で、操作が便利で、インクを保存して取り出す機能があり、書写する過程には更に簡単快適であり、それに書写する過程中姿が違ったら注意を与え、使用者の筆の使い方を修正できる機能がある。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020179654.tif 000003
【図２】
2020179654.tif 000004
【図３】
2020179654.tif 000005
【図４】
2020179654.tif 000006
【手続補正書】
【提出日】令和1年7月14日(2019.7.14)
【手続補正１】
【補正対象書類名】特許請求の範囲
【補正対象項目名】全文
【補正方法】変更
【補正の内容】
【特許請求の範囲】
【請求項１】
正面視で、筆管を含み、前記筆管の中には駆動機構が設置されており、前記駆動機構は電池と重力棒と電磁石と磁石とを含み、前記電池は装置全体に電気エネルギーを提供し、前記電磁石が通電する時前記磁石との間に斥力が生じて前記磁石を推し、前記駆動機構の下側には調整機構が設置されており、前記駆動機構と前記調整機構が絶縁線によって連結され、前記調整機構は円形ブロックと、垂直溝と、二つの台形ブロックと二つの圧縮される圧力撥条とを含み、前記重力棒が回転すると前記円形ブロックを回転連動させ、それにより前記垂直溝を連動させて前記台形ブロックのところに運動させ、それにより前記台形ブロックは前記垂直溝の中に入って止められ、前記調整機構は双通溝を含み、前記調整機構の下側にはインク保存機構が設置されており、前記インク保存機構は長い棒とＬ型溝を含み、前記円形ブロックが回転する時、前記長い棒を前記垂直溝の中から推し出し、前記双通溝が上昇する時前記Ｌ型溝に連通でき、前記インク保存機構は横棒とインク排出溝と排出溝を含み、前記長い棒が前記垂直溝の中に位置する時、前記横棒が右へ運動して前記インク排出溝を前記排出溝に連通させ、
前記駆動機構は短い電線を含み、前記筆管の中には作業チャンバが設置されており、前記作業チャンバの左右端壁の中には弾性チャンバが対称的に設置されており、前記弾性チャンバのうち前記作業チャンバに近接している端壁には電磁石が植設されており、前記作業チャンバの後端壁には電池が固定され、前記電池の上端には前記電磁石に連通する長い電線が左右に対称的に設置されており、前記作業チャンバの後端壁には前記短い電線によって前記電池と連通される定位軸が回転できるように設置されており、前記定位軸には重力棒が固定され、前記重力棒は地心引力を受けてずっと垂直状態であり、前記作業チャンバの後端壁にはトルク溝が設置されており、前記トルク溝の後端壁には前端が前記作業チャンバの中に位置するトルク軸が回転できるように設置され、
前記トルク軸と前記トルク溝との間にはねじりばねが設置されており、前記トルク軸には円形ブロックが固定され、前記円形ブロックの下端面には垂直溝が設置されており、前記右側弾性チャンバの中には磁石がスライドできるように設置されており、前記磁石の右端面には前記弾性チャンバの右端面と固定される弾性撥条が上下に対称的に設置されており、前記磁石の右端面の中心には伸び出しブロックが設置されており、また、前記筆管がスイングする時、前記重力棒が自身重力によって垂直状態を維持しており、
前記調整機構は台形ブロックを含み、前記作業チャンバの左端壁には方形チャンバが設置されており、前記作業チャンバは長い溝によって外部に連通し、前記長い溝の下端壁には昇降溝が設置されており、前記方形チャンバと前記長い溝の中には移動溝が前記トルク軸について左右に対称的に設置されており、前記移動溝の中には移動ブロックがスライドできるように設置されており、前記移動ブロックの上端面には前記移動溝の上端壁と固定的に連結される移動撥条が固定され、前記移動ブロックの前端面には推動ブロックが固定され、前記推動ブロックの左端面には圧力溝が設置されており、前記圧力溝の右端壁には圧力撥条が固定され、前記圧力撥条の左端には前記台形ブロックが固定され、二つの前記推動ブロックが細い棒によって固定的に連結され、右側の前記推動ブロックの下端面には溝ブロックが固定され、前記溝ブロックの中には双通溝が設置されており、それに、前記円形ブロックが回転する時、前記台形ブロックが前記垂直溝の中に入って止められ、
前記インク保存機構は長い棒を含み、前記作業チャンバの下端壁の中にはインク保存溝が設置されており、前記インク保存溝の上端壁と前記昇降溝がＬ型溝によって連通され、前記インク保存溝と前記作業チャンバは柱溝によって連通され、前記柱溝の左端壁には弾力溝が設置されており、前記弾力溝の下端壁には弾力撥条が固定され、前記弾力撥条の上端には前記弾力溝とスライドできるように連結される撥条ブロックが固定され、前記撥条ブロックの右端には前記長い棒が固定され、前記筆管の左端面には押え溝が設置されており、前記押え溝の中には押えブロックがスライドできるように設置されており、前記押えブロックの右端面には右端が前記押え溝の右端壁と固定される押え撥条が上下に対称的に固定され、
前記押えブロックの右端面の中心には横棒が固定され、前記長い棒の中には排出溝が設置されており、前記長い棒の左端面には狭い溝が設置されており、前記狭い溝の右端壁には双方向撥条が固定され、前記双方向撥条の左端には前記狭い溝とスライドできるように連結される双方向ブロックが固定され、前記双方向ブロックの中にはインク排出溝が設置されており、前記筆管の下端面には筆先が固定され、それに、前記長い棒が前記垂直溝の中に位置する時、前記横棒が右へ運動して前記インク排出溝を推し動かして前記排出溝と連通させることを特徴とする多機能の筆。
【手続補正２】
【補正対象書類名】明細書
【補正対象項目名】全文
【補正方法】変更
【補正の内容】
【発明の詳細な説明】
【技術分野】
【０００１】
本発明は書写筆の分野を取り上げて、具体的には多機能の筆である。
【背景技術】
【０００２】
筆は中国の伝統風味のある筆であり、使用する時インクと合わせて使用し、且つ書写人の姿に要求があり、使いにくい筆であり、それに現有の筆の功能が単一で、使用する時常にインクをつけ、且つ使用する時の姿も維持し難しく、自分が気づきにくい。
【先行技術文献】
【特許文献】
【０００３】
【特許文献１】中国特許出願公開第107538959号明細書
【発明の概要】
【発明が解決しようとする課題】
【０００４】
本発明の目的は多機能の筆を提供し、上記背景技術に提出される問題を解決する。
【課題を解決するための手段】
【０００５】
上記の目的を実現するため、本発明は以下の技術方案を提供し：多機能の筆は、筆管を含み、前記筆管の中には駆動機構が設置されており、前記駆動機構は電池と重力棒と電磁石と磁石とを含み、前記電池は装置全体に電気エネルギーを提供し、前記電磁石が通電する時前記磁石との間に斥力が生じて前記磁石を推し、前記駆動機構の下側には調整機構が設置されており、前記駆動機構と前記調整機構が絶縁線によって連結され、前記調整機構は円形ブロックと、垂直溝と、二つの台形ブロックと二つの圧縮される圧力撥条とを含み、前記重力棒が回転すると前記円形ブロックを回転連動させ、それにより前記垂直溝を連動させて前記台形ブロックのところに運動させ、それにより前記台形ブロックは前記垂直溝の中に入って止められ、前記調整機構は双通溝を含み、前記調整機構の下側にはインク保存機構が設置されており、前記インク保存機構は長い棒とＬ型溝を含み、前記円形ブロックが回転する時、前記長い棒を前記垂直溝の中から推し出し、前記双通溝が上昇する時前記Ｌ型溝に連通でき、前記インク保存機構は横棒とインク排出溝と排出溝を含み、前記長い棒が前記垂直溝の中に位置する時、前記横棒が右へ運動して前記インク排出溝を前記排出溝に連通させる。
【０００６】
更なる技術方案、前記駆動機構は短い電線を含み、前記筆管の中には作業チャンバが設置されており、前記作業チャンバの左右端壁の中には弾性チャンバが対称的に設置されており、前記弾性チャンバのうち前記作業チャンバに近接している端壁には電磁石が植設されており、前記作業チャンバの後端壁には電池が固定され、前記電池の上端には前記電磁石に連通する長い電線が左右に対称的に設置されており、前記作業チャンバの後端壁には前記短い電線によって前記電池と連通される定位軸が回転できるように設置されており、前記定位軸には重力棒が固定され、前記重力棒は地心引力を受けてずっと垂直状態であり、前記作業チャンバの後端壁にはトルク溝が設置されており、前記トルク溝の後端壁には前端が前記作業チャンバの中に位置するトルク軸が回転できるように設置され、
その中、前記トルク軸と前記トルク溝との間にはねじりばねが設置されており、前記トルク軸には円形ブロックが固定され、前記円形ブロックの下端面には垂直溝が設置されており、前記右側弾性チャンバの中には磁石がスライドできるように設置されており、前記磁石の右端面には前記弾性チャンバの右端面と固定される弾性撥条が上下に対称的に設置されており、前記磁石の右端面の中心には伸び出しブロックが設置されており、また、前記筆管がスイングする時、前記重力棒が自身重力によって垂直状態を維持する。
【０００７】
更なる技術方案、前記調整機構は台形ブロックを含み、前記作業チャンバの左端壁には方形チャンバが設置されており、前記作業チャンバは長い溝によって外部に連通し、前記長い溝の下端壁には昇降溝が設置されており、前記方形チャンバと前記長い溝の中には移動溝が前記トルク軸について左右に対称的に設置されており、前記移動溝の中には移動ブロックがスライドできるように設置されており、前記移動ブロックの上端面には前記移動溝の上端壁と固定的に連結される移動撥条が固定され、前記移動ブロックの前端面には推動ブロックが固定され、前記推動ブロックの左端面には圧力溝が設置されており、前記圧力溝の右端壁には圧力撥条が固定され、前記圧力撥条の左端には前記台形ブロックが固定され、二つの前記推動ブロックが細い棒によって固定的に連結され、右側の前記推動ブロックの下端面には溝ブロックが固定され、前記溝ブロックの中には双通溝が設置されており、それに、前記円形ブロックが回転する時、前記台形ブロックが前記垂直溝の中に入って止められる。
【０００８】
更なる技術方案、前記インク保存機構は長い棒を含み、前記作業チャンバの下端壁の中にはインク保存溝が設置されており、前記インク保存溝の上端壁と前記昇降溝がＬ型溝によって連通され、前記インク保存溝と前記作業チャンバは柱溝によって連通され、前記柱溝の左端壁には弾力溝が設置されており、前記弾力溝の下端壁には弾力撥条が固定され、前記弾力撥条の上端には前記弾力溝とスライドできるように連結される撥条ブロックが固定され、前記撥条ブロックの右端には前記長い棒が固定され、前記筆管の左端面には押え溝が設置されており、前記押え溝の中には押えブロックがスライドできるように設置されており、前記押えブロックの右端面には右端が前記押え溝の右端壁と固定される押え撥条が上下に対称的に固定され、
その中、前記押えブロックの右端面の中心には横棒が固定され、前記長い棒の中には排出溝が設置されており、前記長い棒の左端面には狭い溝が設置されており、前記狭い溝の右端壁には双方向撥条が固定され、前記双方向撥条の左端には前記狭い溝とスライドできるように連結される双方向ブロックが固定され、前記双方向ブロックの中にはインク排出溝が設置されており、前記筆管の下端面には筆先が固定され、それに、前記長い棒が前記垂直溝の中に位置する時、前記横棒が右へ運動して前記インク排出溝を推し動かして前記排出溝と連通させる。
【発明の効果】
【０００９】
本発明の有益な効果は：この装置は結構が簡単で、操作が便利で、インクを保存して取り出す機能があり、書写する過程には更に簡単快適であり、それに書写する過程中姿が違ったら注意を与え、使用者の筆の使い方を修正できる機能がある。
【図面の簡単な説明】
【００１０】
下記に図1〜４をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１１】
【図１】図１は本発明の多機能の筆の全体断面の正面構成模式図
【図２】図２は本発明の多機能の筆の中の推動ブロックの拡大構成模式図
【図３】図３は本発明の多機能の筆の中の双方向ブロックの拡大構成模式図
【図４】図４は本発明の多機能の筆の中のトルク軸の右視断面構成模式図
【発明を実施するための形態】
【００１２】
本説明書に公開されるいずれもの特徴、或いは公開されるいずれもの方法或いは過程中の順序は互いに排斥する特徴／或いは順序以外、いかなる方式によって組み合わせる。
【００１３】
図１〜４を参考して、本発明が提供する実施例：多機能の筆は、筆管１０を含み、前記筆管１０の中には駆動機構６０が設置されており、前記駆動機構６０は電池２３と重力棒１９と電磁石４０と磁石４１とを含み、前記電池２３は装置全体に電気エネルギーを提供し、前記電磁石４０が通電する時前記磁石４１との間に斥力が生じて前記磁石４１を推し、前記駆動機構６０の下側には調整機構６１が設置されており、前記駆動機構６０と前記調整機構６１が絶縁線２５によって連結され、前記調整機構６１は円形ブロック１８と、垂直溝２７と、二つの台形ブロック５０と二つの圧縮される圧力撥条４９とを含み、前記重力棒１９が回転すると前記円形ブロック１８を回転連動させ、それにより前記垂直溝２７を連動させて前記台形ブロック５０のところに運動させ、それにより前記台形ブロック５０は前記垂直溝２７の中に入って止められ、前記調整機構６１は双通溝３０を含み、前記調整機構６１の下側にはインク保存機構６２が設置されており、前記インク保存機構６２は長い棒３２とＬ型溝３１を含み、前記円形ブロック１８が回転する時、前記長い棒３２を前記垂直溝２７の中から推し出し、前記双通溝３０が上昇する時前記Ｌ型溝３１に連通でき、前記インク保存機構６２は横棒５１とインク排出溝５６と排出溝５３を含み、前記長い棒３２が前記垂直溝２７の中に位置する時、前記横棒５１が右へ運動して前記インク排出溝５６を前記排出溝５３に連通させる。
【００１４】
有益なように、前記駆動機構６０は短い電線２２を含み、前記筆管１０の中には作業チャンバ２１が設置されており、前記作業チャンバ２１の左右端壁の中には弾性チャンバ４４が対称的に設置されており、前記弾性チャンバ４４のうち前記作業チャンバ２１に近接している端壁には電磁石４０が植設されており、前記作業チャンバ２１の後端壁には電池２３が固定され、前記電池２３の上端には前記電磁石４０に連通する長い電線２４が左右に対称的に設置されており、前記作業チャンバ２１の後端壁には前記短い電線２２によって前記電池２３と連通される定位軸２０が回転できるように設置されており、前記定位軸２０には重力棒１９が固定され、前記重力棒１９は地心引力を受けてずっと垂直状態であり、前記作業チャンバ２１の後端壁にはトルク溝５７が設置されており、前記トルク溝５７の後端壁には前端が前記作業チャンバ２１の中に位置するトルク軸１７が回転できるように設置され、
その中、前記トルク軸１７と前記トルク溝５７との間にはねじりばね５８が設置されており、前記トルク軸１７には円形ブロック１８が固定され、前記円形ブロック１８の下端面には垂直溝２７が設置されており、前記右側弾性チャンバ４４の中には磁石４１がスライドできるように設置されており、前記磁石４１の右端面には前記弾性チャンバ４４の右端面と固定される弾性撥条４２が上下に対称的に設置されており、前記磁石４１の右端面の中心には伸び出しブロック４３が設置されており、また、前記筆管１０がスイングする時、前記重力棒１９が自身重力によって垂直状態を維持する。
【００１５】
有益なように、前記調整機構６１は台形ブロック５０を含み、前記作業チャンバ２１の左端壁には方形チャンバ３７が設置されており、前記作業チャンバ２１は長い溝３８によって外部に連通し、前記長い溝３８の下端壁には昇降溝２８が設置されており、前記方形チャンバ３７と前記長い溝３８の中には移動溝４６が前記トルク軸１７について左右に対称的に設置されており、前記移動溝４６の中には移動ブロック４７がスライドできるように設置されており、前記移動ブロック４７の上端面には前記移動溝４６の上端壁と固定的に連結される移動撥条４５が固定され、前記移動ブロック４７の前端面には推動ブロック２６が固定され、前記推動ブロック２６の左端面には圧力溝４８が設置されており、前記圧力溝４８の右端壁には圧力撥条４９が固定され、前記圧力撥条４９の左端には前記台形ブロック５０が固定され、二つの前記推動ブロック２６が細い棒１６によって固定的に連結され、右側の前記推動ブロック２６の下端面には溝ブロック２９が固定され、前記溝ブロック２９の中には双通溝３０が設置されており、それに、前記円形ブロック１８が回転する時、前記台形ブロック５０が前記垂直溝２７の中に入って止められる。
【００１６】
有益なように、前記インク保存機構６２は長い棒３２を含み、前記作業チャンバ２１の下端壁の中にはインク保存溝１１が設置されており、前記インク保存溝１１の上端壁と前記昇降溝２８がＬ型溝３１によって連通され、前記インク保存溝１１と前記作業チャンバ２１は柱溝１５によって連通され、前記柱溝１５の左端壁には弾力溝１３が設置されており、前記弾力溝１３の下端壁には弾力撥条１２が固定され、前記弾力撥条１２の上端には前記弾力溝１３とスライドできるように連結される撥条ブロック１４が固定され、前記撥条ブロック１４の右端には前記長い棒３２が固定され、前記筆管１０の左端面には押え溝３６が設置されており、前記押え溝３６の中には押えブロック３５がスライドできるように設置されており、前記押えブロック３５の右端面には右端が前記押え溝３６の右端壁と固定される押え撥条５２が上下に対称的に固定され、
その中、前記押えブロック３５の右端面の中心には横棒５１が固定され、前記長い棒３２の中には排出溝５３が設置されており、前記長い棒３２の左端面には狭い溝５４が設置されており、前記狭い溝５４の右端壁には双方向撥条５５が固定され、前記双方向撥条５５の左端には前記狭い溝５４とスライドできるように連結される双方向ブロック３３が固定され、前記双方向ブロック３３の中にはインク排出溝５６が設置されており、前記筆管１０の下端面には筆先３４が固定され、それに、前記長い棒３２が前記垂直溝２７の中に位置する時、前記横棒５１が右へ運動して前記インク排出溝５６を推し動かして前記排出溝５３と連通させる。
【００１７】
以下、付図１〜４及び上記の本願発明の多機能の筆の具体的な構造を参考してその使い方を詳しく説明する：
【００１８】
筆管１０を使う時、もし筆管１０が傾きすぎれば、重力棒１９が自身重力によって垂直のままで電磁石４０と接触し、短い電線２２と長い電線２４の伝導によって、電磁石４０が通電して磁力を生じて磁石４１を反発し、伸び出しブロック４３を推し出し、使用者に姿が正しくないことを気づかせ、インク保存溝１１の中にはインクが保存され、筆先３４のインクが足りない時、押えブロック３５を押えてインク排出溝５６を排出溝５３に連通させ、インクが筆先３４の中に流し込み、重力棒１９が定位軸２０を連動させて絶縁線２５を巻かせ、それにより円形ブロック１８を引っ張って回転させ、もし筆管１０が歪めば、円形ブロック１８が長い棒３２を連動させて下がらせ、これにより押えブロック３５がインク排出溝５６を推し動かせなく、インクを補充する時、筆管１０に垂直状態を維持させ、推動ブロック２６を推し動かして上昇させ、双通溝３０をＬ型溝３１に連通させ、双通溝３０の中にインクを注ぎ込む。
【００１９】
本発明の有益な効果は：この装置は結構が簡単で、操作が便利で、インクを保存して取り出す機能があり、書写する過程には更に簡単快適であり、それに書写する過程中姿が違ったら注意を与え、使用者の筆の使い方を修正できる機能がある。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。